(57)【要約】【課題】扉本体の解錠操作部及び開閉操作部を室外側から視認できないようするとともに、扉本体を多重的な施錠状態とすることにより、セキュリティー性を向上できる扉装置を提供することを目的とする。【解決手段】本発明は、扉本体１０と、この扉本体１０の室外側に形成された凹所１１と、この凹所１１内に配設された扉本体１０の解錠操作部１２及び開閉操作部１３と、前記凹所１１を開閉可能に、かつ前記解錠操作部１２及び開閉操作部１３を室外側から視認できないように覆うカバー手段１４と、このカバー手段１４を閉塞状態に保持するロック手段１７と、このロック手段１７の前記閉塞状態の保持を解除するロック解除操作手段２３ａとを備える扉装置１である。【選択図】図１
2011058250.tif 000002
【特許請求の範囲】
【請求項１】
扉本体と、
この扉本体の室外側に形成された凹所と、
この凹所内に配設された扉本体の解錠操作部及び開閉操作部と、
前記凹所を開閉可能に、かつ前記解錠操作部及び開閉操作部を室外側から視認できないように覆うカバー手段と、
このカバー手段を閉塞状態に保持するロック手段と、
このロック手段の前記閉塞状態の保持を解除するロック解除操作手段と、
を具備することを特徴とする扉装置。
【請求項２】
前記凹所は、扉本体の厚さ寸法内において形成されていることを特徴とする請求項１に記載の扉装置。
【請求項３】
前記扉本体の解錠操作部は、鍵穴であり、ロック解除操作手段は、電気的な操作手段であることを特徴とする請求項１又は請求項２に記載の扉装置。
【請求項４】
前記扉本体の室外側は、略平坦面に形成されていることを特徴とする請求項１乃至請求項３のいずれか一に記載の扉装置。
【請求項５】
前記扉本体の室外側には、実質的に室外側と室内側とが通じる開口部が存在しないことを特徴とする請求項１乃至請求項４のいずれか一に記載の扉装置。
【発明の詳細な説明】
【技術分野】
【０００１】
本発明は、玄関の扉等に用いるのに適する扉装置に関する。
【背景技術】
【０００２】
一般的に、住宅、マンションや事務所等の玄関に設けられる扉は、主として鍵により施錠されて防犯対策が行われている。しかしながら、近時の犯罪例にみられるように、ピッキングと呼ばれる鍵穴に工具を差し込んで施錠を解く手口やサムターン回しと呼ばれる例えば、新聞受けの付いている扉であれば、その隙間から、また、ドアスコープが付いている扉であれば、ドアスコープを外してその穴から工具を差し込んで直接サムターンを動かし施錠を解く手口で不正に解錠し、住居に侵入する事例が発生している。
【０００３】
このため、従来、鍵穴が室外側に露出しないように、鍵穴を鍵穴隠し部材としての新聞受けで覆うようにした玄関ドア提案されている（特許文献１参照）。また、玄関扉に開閉ハンドル、鍵穴、ドアスコープのような最小限の機能を備え、表札、インターホン、新聞受け、傘立てなどの玄関に要求される他の機能設備を袖壁パネルに集約して玄関扉には新聞受けのための大きな開口を不要とし、防犯性を高める多機能玄関ユニットが提案されている（特許文献２参照）。
【先行技術文献】
【特許文献】
【０００４】
【特許文献１】特開２００７−３２１５０号公報
【特許文献２】特開平１１−２７０２３４号公報
【発明の概要】
【発明が解決しようとする課題】
【０００５】
しかしながら、特許文献１に示されたものは、鍵穴を室外側から見えないようにしたものではあるが、鍵穴隠し部材としての新聞受けは、容易に着脱できるものであり、防犯上、十分な対策とはいえない。さらに、扉には、扉を開閉するプッシュハンドルが露出して設けられているものであり、この点においても防犯上、好ましい状態とはいえない。
【０００６】
また、特許文献２に示されたものは、玄関扉に最小限の機能を備えるという技術的な開示はあるが、開閉ハンドル、鍵穴は、扉の外面に露出して設けられものであり、同様に、防犯上、十分な対策がとられている構成ではない。
【０００７】
本発明は、上記のような課題に鑑みなされたもので、扉本体の解錠操作部及び開閉操作部を室外側から視認できないようするとともに、扉本体を多重的な施錠状態とすることにより、セキュリティー性を向上できる扉装置を提供することを目的とする。
【課題を解決するための手段】
【０００８】
請求項１に記載の扉装置は、扉本体と、この扉本体の室外側に形成された凹所と、この凹所内に配設された扉本体の解錠操作部及び開閉操作部と、前記凹所を開閉可能に、かつ前記解錠操作部及び開閉操作部を室外側から視認できないように覆うカバー手段と、このカバー手段を閉塞状態に保持するロック手段と、このロック手段の前記閉塞状態の保持を解除するロック解除操作手段と、を具備することを特徴とする。
【０００９】
本発明及び以下の発明において、特に指定しない限り用語の技術的意味及び解釈は次による。凹所は、必ずしも壁面で区画されてひとつの部分として構成されている必要はなく、解錠操作部及び開閉操作部が配設できるスペースを確保して構成されていれば、あらゆる形態を含み、その形態が格別に限定されるものではない。また、凹所が扉本体の室外側又は室内側に突出して形成される場合も許容される。開閉操作部とは、扉本体を開閉する操作部であり、例えば、ハンドル、ノブ、握玉等と指称されるものが含まれる。
【００１０】
解錠操作部は、鍵穴、ＩＤカード、暗証番号入力、生体認証方式等、各種方式を採用することができる。また、同様に、ロック解除操作手段についても鍵穴、ＩＤカード、暗証番号入力、生体認証方式等、各種方式が適用可能である。
【００１１】
請求項２に記載の扉装置は、請求項１に記載の扉装置において、前記凹所は、扉本体の厚さ寸法内において形成されていることを特徴とする。これにより、扉本体の室内側に、凹所が突出することなく扉本体を構成できる。
【００１２】
請求項３に記載の扉装置は、請求項１又は請求項２に記載の扉装置において、前記扉本体の解錠操作部は、鍵穴であり、ロック解除操作手段は、電気的な操作手段であることを特徴とする。電気的な操作手段とは、例えば、暗証番号の入力手段やＩＤカードによる入力手段等を意味する。このような構成により機械的な施錠と電気的な施錠との組み合わせとなるため、セキュリティー性の向上が期待できる。
【００１３】
請求項４に記載の扉装置は、請求項１乃至請求項３のいずれか一に記載の扉装置において、前記扉本体の室外側は、略平坦面に形成されていることを特徴とする。この構成によりデザイン性の向上を図ることができる。
【００１４】
請求項５に記載の扉装置は、請求項１乃至請求項４のいずれか一に記載の扉装置において、前記扉本体の室外側には、実質的に室外側と室内側とが通じる開口部が存在しないことを特徴とする。したがって、新聞受け等の開口部がなく、防犯上、有効となる。
【発明の効果】
【００１５】
本発明によれば、解錠操作部及び開閉操作部は、室外側から視認できないようにカバー手段によって覆われるので、不正解錠を心理的に抑制することができる。また、多重な施錠状態によりセキュリティー性を有効に高めることができ、防犯上、効果的な扉装置を提供することができる。
【図面の簡単な説明】
【００１６】
【図１】本発明の第１の実施形態に係る扉装置を示す正面図である。
【図２】同じく扉装置を示す正面図である。
【図３】同扉装置の要部を示す斜視図である。
【図４】図２のＡ−Ａ線に沿って切断して示す要部の断面図である。
【図５】同扉装置の要部において開閉ハンドルの操作状態を示す斜視図である。
【図６】同カバー手段の駆動機構を示す概略構成図である。
【図７】図６のＹ−Ｙ線に沿って切断して示す断面図である。
【図８】同扉装置のブロック構成図である。
【図９】同操作及び動作を示すフローチャートである。
【図１０】本発明の第２の実施形態に係る扉装置の凹所を示す正面図である。
【図１１】本発明の第３の実施形態に係る扉装置の開閉ハンドルを示す正面図である。
【発明を実施するための形態】
【００１７】
以下、本発明の第１の実施形態に係る扉装置について図１乃至図９を参照して説明する。なお、各図において、同一又は相当部分には、同一符号を付し、重複した説明は省略する。
【００１８】
まず、図１及び図２において、マンション等の住居の玄関に設置された扉装置１と、この扉装置１に隣接して並設するように設置された多機能ユニット装置２とが示されている。扉装置１は、扉本体１０と、この扉本体１０に形成された凹所１１と、この凹所１１内に配設された解錠操作部としての鍵穴１２及び開閉操作部としての開閉ハンドル１３と、凹所を開閉可能に覆うカバー手段１４と、このカバー手段１４のロック状態を解除するロック解除操作手段とを備えている。なお、ロック解除操作手段は、具体的には、多機能ユニット装置２側に配設されているインターホン２３に設けられた暗証番号入力手段２３ａである。
【００１９】
扉本体１０は、軸吊りヒンジ等によって玄関の構造物に開閉自在に固定されており、所定の厚さ寸法を有して室外側の表面は略平坦面に構成されている。この扉本体１０の室外側であって、ヒンジ等とは反対側、すなわち、開閉側には、正面視、三角形状をなした凹所１１が形成されている。図３及び図４に示すように、凹所１１は、扉本体１０の室外側から室内側へ向かって凹んで薄形の三角柱をなして扉本体１０の厚さ寸法内において形成されており、この凹所１１内には、鍵穴１２及び開閉ハンドル１３が配設されている。
【００２０】
鍵穴１２は、凹所１１の底面側に位置しており、シリンダー錠１５の一部をなすものである。また、シリンダー錠１５の一端、すなわち、室内側には、サムターン１５ａが設けられている。シリンダー錠１５は、鍵穴１２からキーを差し込んで操作することにより、この操作に連動するデッドボルト１５ｂの動作にしたがって扉本体１０を施錠、解錠するものである。なお、凹所１１は、必ずしも壁面で区画されてひとつの部分として構成されている必要はなく、鍵穴１２及び開閉ハンドル１３が配設できるスペースを確保して構成されていればよい。
【００２１】
開閉ハンドル１３は、細長の長方形の板状をなし、凹所１１の一辺の縁部に沿うように図示しない回転軸によって軸止されており、凹所１１の開口方向（図４、矢印で示す）にばね１３ａによって付勢されている。また、この開閉ハンドル１３の操作によって連動するラッチボルト１３ｂが動作するようになっている。したがって、開閉ハンドル１３を操作する場合には、図５に示すように、凹所１１の縁部に指をかけ握るように開閉ハンドル１３をばね１３ａの弾性力に抗して操作し、ラッチボルト１３ｂを動作させて扉本体１０を開けることができる。なお、扉本体１０の室内側には、内側から扉本体１０を開閉するための握玉１８が取付けられている。
【００２２】
次に、カバー手段１４は、金属や強化プラスチック等で形成された略矩形の平板状をなし、凹所１１の開口に対してスライドして開閉可能であり、凹所１１を覆って凹所１１内に配設された鍵穴１２及び開閉ハンドル１３を室外側から視認できないようにする機能を有している。図１は、凹所１１をカバー手段１４が覆い閉塞している状態を示し、図２は、カバー手段１４がスライド動作して扉本体１０内に収納され凹所１１を開放している状態を示している。
【００２３】
ここで、図６及び図７を参照してカバー手段１４について詳細に説明する。図６は、扉本体１０の室内側から見たカバー手段１４の駆動機構を示す概略構成図であり、図７は、図６のＹ−Ｙ線に沿って切断した場合を示す断面図である。カバー手段１４の室内側（裏側）には、上下にラック１４ａが形成されている。そして、このラック１４ａと噛合うようにピニオン１４ｂが配置されており、このピニオン１４ｂは、プーリ１４ｃを介してベルト１４ｄ掛けされ、電源に接続されたモータ１６に連結されている。したがって、モータ１６が駆動するとラック１４ａとピニオン１４ｂとの連結関係により、カバー手段１４はスライドして移動できるようになっている。
【００２４】
また、カバー手段１４の閉塞位置における一側に対応してロック手段１７が扉本体１０の内壁面に取付けられている。ロック手段１７は、カバー手段１４を凹所１１に対して閉塞状態に保持する機能を有するもので、ケース１７ａ、このケース１７ａ内に収納されたプランジャ金具１７ｂ、ソレノイド１７ｃ及び圧縮コイルばね１７ｄを備えている。プランジャ金具１７ｂは、その後端部に圧縮コイルばね１７ｄが取付けられて、ケース１７ａ内に往復動可能に設けられている。したがって、プランジャ金具１７ｂは、圧縮コイルばね１７ｄによって、常時は、突出方向に付勢されている。ソレノイド１７ｃは、電源に接続されてプランジャ金具１７ｂの周囲に巻回されており、後述するように電力が供給されると励磁され、プランジャ金具１７ｂをケース１７ａ内に没入するように動作する。
【００２５】
このような構成により、プランジャ金具１７ｂが出没し、カバー手段１４の一側に係脱して、カバー手段１４が閉塞位置にロックされ、又はロックが解除されるようになっている。
【００２６】
なお、前記凹所１１、この凹所１１内に配設された鍵穴１２及び開閉ハンドル１３、カバー手段１４等は、ユニット化されて扉本体１０に取付けられるようにしてもよい。これにより扉装置１の製作を簡素化することが可能となる。
【００２７】
次に、多機能ユニット装置２は、図１及び図２に示すように、扉装置１に隣接して設置されており、利便性及び防犯性を高めるように構成されている。まず、上段には、２４時間監視可能な防犯カメラ２１、照明装置２２、２段目には、インターホン２３、３段目には、宅配ボックス２４、下段には、郵便及び新聞受け２５が配設されている。
【００２８】
防犯カメラ２１は、人感センサや衝撃感知センサを備えており、常時稼動し、人を検知した時点で１５秒前にさかのぼって録画を開始し、検知されなくなった時点で停止するようになっており、また、衝撃を検知した時点で１５秒前にさかのぼって録画を開始し、検知されなくなってから３０秒後に停止するようになっている。これにより、不必要な録画をすることなく効率的に、かつ防犯上影響のある現場の状況を録画し把握できるようになっている。なお、これら情報を適宜パソコンや携帯電話に送信するように構成してもよい。
【００２９】
照明装置２２は、周囲の明るさに応じて自動的に点灯、消灯するように制御されるもので、蛍光ランプ等の光源をボール形のカバーで覆って構成されている。
【００３０】
インターホン２３は、呼出しボタンをはじめカメラやスピーカ等を備えており、また、このインターホン２３には、詳細を後述する前記ロック手段１７のロックを解除するロック解除操作手段としての電気的な暗証番号入力手段２３ａが設けられている。なお、防犯カメラ２１と同様に、インターホン２３に保存されている情報を適宜パソコンや携帯電話に送信するように構成してもよい。
【００３１】
宅配ボックス２４は、セキュリティー部２４ａと納品ボックス２４ｂとから構成されている。図２に示すように、セキュリティー部２４ａの蓋を開いてパスワード入力部２４ｃにパスワードを入力することにより、納品ボックス２４ｂの蓋を開けることができ、宅配業者は納品ボックス２４ｂに宅配物を入れることができるようになっている。パスワードは、納品ボックス２４ｂに宅配物を入れて蓋を閉めることにより失効するものであり、１回限りの効力を有するようになっている。したがって、予め宅配業者にパスワードを発行しておくことにより、安全、確実に宅配物を受け取ることができる。なお、宅配物の受け取りは、室内側から行うことができる。また、宅配物が例えば、冷凍食品等である場合に対応して納品ボックス２４ｂ内を温度調整可能なように構成することもできる。
【００３２】
郵便及び新聞受け２５は、郵便及び新聞挿入用の開口２５ａを有しており、また、開口２５ａから挿入された郵便物は、室内側から受け取ることができるようになっている。この場合、室内側には、仕切り壁等が設けられて開口２５ａから室内が見えないようになっており、セキュリティー面で強化されている。
【００３３】
次に、本実施形態のブロック構成について図８を参照して説明する。インターホン２３は、制御装置２３ｂ、呼出しボタン、カメラ、スピーカ及びマイク等の機能部品２３ｃ、暗証番号入力手段２３ａを備えている。制御装置２３ｂは、演算手段、記憶部、タイマー及び比較回路を備え、機能部品２３ｃ、暗証番号入力手段２３ａが接続されているとともに、カバー手段１４を駆動するモータ１６、ロック手段１７のソレノイド１７ｃが接続されている。
【００３４】
暗証番号入力手段２３ａは、数字キー、クリアキーＣ、セットキーＳを備えており、このキーの操作により暗証番号を入力して、ロック手段１７のロックを解除し、カバー手段１４をスライド移動して凹所１１を開放状態とすることができるようになっている。具体的には、暗証番号を数字キーで入力し、セットキーＳを入力すると、その入力内容は、記憶部に予め格納されている番号と照合される。照合結果が正しければ、制御装置２３ｂからソレノイド１７ｃ及びモータ１６へ駆動信号が出力され、ソレノイド１７ｃが通電により励磁され、プランジャ金具１７ｂが吸引されてロックが解除される。これとともにモータ１６が駆動しカバー手段１４が移動して凹所１１が開放状態となる。
【００３５】
以上のように構成された本実施形態の操作及び動作について主として図９のフローチャートを参照して説明する。
【００３６】
常時は、カバー手段１４は、凹所１１を覆って閉塞状態としており、鍵穴１２及び開閉ハンドル１３は、室外側から見ることはできない。また、カバー手段１４の一側には、ロック手段１７のプランジャ金具１７ｂが係合しており、カバー手段１４は、ロック状態となっている（図７参照）。
【００３７】
この状態から扉本体１０を開ける場合には、まず、暗証番号入力手段２３ａにより暗証番号を入力する（Ｓ１）。この入力内容は、制御装置２３ｂにおいて予め格納されている番号と照合され（Ｓ２）、照合結果が正しければ、ソレノイド１７ｃに通電され、その励磁によりプランジャ金具１７ｂが吸引されてケース１７ａ内に没入し、カバー手段１４の一側からロック手段１７のプランジャ金具１７ｂの係合が解かれる（Ｓ３）。次いで、モータ１６が駆動し、カバー手段１４がスライド移動され（図１における左方向）、凹所１１が開放状態となる（Ｓ４）。
【００３８】
この状態で鍵穴１２に鍵を差込み操作して解錠する（Ｓ５）。続いて、鍵を鍵穴１２から抜き、開閉ハンドル１３を操作して扉本体１０開け、入室し、扉本体１０を閉める（Ｓ７）。扉本体１０を閉めた後は、モータ１６が駆動し、カバー手段１４が凹所１１の閉塞方向にスライド移動し、ロック手段１７のプランジャ金具１７ｂがカバー手段１４の一側に再び係合し、カバー手段１４をロック状態に保持する（Ｓ８）。
【００３９】
以上のように本実施形態によれば、鍵穴１２及び開閉ハンドル１３は、室外側から視認できないようにカバー手段１４によって覆われているので、これらを外観において見ることができず、防犯上、不正解錠が困難であると予見させることができ、犯罪を心理的に抑制することができる。また、カバー手段１４は、ロック手段によって閉塞状態が保持され、さらに、扉本体１０は、鍵により施錠されるので、二重の施錠状態、すなわち、少なくとも二重の関門を形成して、多重な施錠状態とすることができ、セキュリティー性を有効に高めることが可能で防犯上、効果的な扉装置１を提供することができる。
【００４０】
さらにまた、凹所１１は、扉本体１０の厚さ寸法内において形成されているので、扉本体１０の室内側に、格別に突出部分が形成されることなく、扉本体１０を構成できる。
【００４１】
解錠操作部としては、鍵穴１２であり、ロック解錠操作手段としては、暗証番号入力手段２３ａであり、いわゆる機械的な施錠と電気的な施錠の組み合わせであるため、セキュリティーを破壊するのに困難性を伴い、また、故障等においても両者が同時的に発生することを回避することができる。
【００４２】
また、扉本体１０の室外側は、略平坦面に形成されているので、ハンドル等の突出物がなく、デザイン性に優れ、加えて、扉本体１０の室外側には、室外側と室内側とが通じる郵便受けや新聞受け等の開口部がなく、さらに、ドアスコープ等も設けられておらず、外観上、何もない状態であるため、一層セキュリティー性を高めることができる。
【００４３】
次に、本発明の第２の実施形態に係る扉装置について図１０を参照して説明する。本実施形態では、凹所１１の別な形態を示している。なお、前記実施形態と同一又は相当部分には、同一符号を付し重複した説明は省略する。
【００４４】
まず、図１０（ａ）は、前記第１の実施形態の凹所１１を示している。正面視、三角形状をなし、下方一辺に沿って開閉ハンドル１３が軸止されている。そして、この凹所１１は、図１０（ｂ）及び（ｃ）に示すように、四角形や円形に形成することができる。この凹所１１の形態は、格別その形状が限定されるものではない。このような形態によっても第１の実施形態と同様な効果を奏することとができる。
【００４５】
続いて、本発明の第３の実施形態に係る扉装置について図１１を参照して説明する。本実施形態では、開閉ハンドル１３の別な形態を示している。なお、前記実施形態と同一又は相当部分には、同一符号を付し重複した説明は省略する。図１１（ａ）は、凹所１１内に配設されたレバー式の開閉ハンドル１３を示しており、図１１（ｂ）は、握玉式の開閉ハンドル１３を示している。このような形態によっても第１の実施形態と同様な効果を奏することとができる。
【００４６】
なお、本発明は、上記各実施形態の構成に限定されることなく、発明の要旨を逸脱しない範囲で種々の変形が可能である。例えば、カバー手段１４は、モータ１６の駆動により自動的に開くような形態が好ましいが、自動的に開くように構成しなくてもよい。すなわち、ロック解錠操作手段の操作により、ロックを解除し、その後、手動で開くように構成してもよい。また、カバー手段１４は、左右方向にスライド移動する形式のみならず、上下方向にスライド移動する形式であってもよい。さらには、扉状に開閉する方式であってもよく、格別開閉方式が限定されるものではない。
【００４７】
加えて、上記実施形態においては、凹所は、扉本体の厚さ寸法内において形成され、かつ扉本体の室外側は、略平坦面に形成されているものについて説明したが、凹所が扉本体の室外側又は室内側に突出して形成される場合も許容されるものである。さらに、解錠操作部、ロック解除操作手段には、ＩＤカード、暗証番号入力、生体認証方式等、各種方式が採用可能である。
【符号の説明】
【００４８】
１・・・扉装置、１０・・・扉本体、１１・・・凹所、１２・・・解錠操作部（鍵穴）、１３・・・開閉操作部（開閉ハンドル）、１４・・・カバー手段、
１７・・・ロック手段、２３ａ・・・ロック解除操作手段（暗証番号入力手段）
【図１】
2011058250.tif 000003
【図２】
2011058250.tif 000004
【図３】
2011058250.tif 000005
【図４】
2011058250.tif 000006
【図５】
2011058250.tif 000007
【図６】
2011058250.tif 000008
【図７】
2011058250.tif 000009
【図８】
2011058250.tif 000010
【図９】
2011058250.tif 000011
【図１０】
2011058250.tif 000012
【図１１】
2011058250.tif 000013